(57)【要約】【課題】  効率的にコンテンツ管理を行う。【解決手段】  記録媒体に対して画像データを記録する記録手段と、前記記録媒体から画像データを再生する再生手段と、前記記録媒体に記録されている複数の画像データの代表画像を表示装置の同一画面上に表示する表示制御手段と、前記複数の画像データのうち、前記記録手段により記録された画像データの代表画像とそれ以外の画像データの代表画像を異なる大きさで表示するよう前記表示制御手段を制御するシステム制御手段とを備える。【選択図】  図３
2005158172.tif 000002
【特許請求の範囲】
【請求項１】
記録媒体に対して画像データを記録する記録手段と、
前記記録媒体から画像データを再生する再生手段と、
前記記録媒体に記録されている複数の画像データの代表画像を表示装置の同一画面上に表示する表示制御手段と、
前記複数の画像データのうち、前記記録手段により記録された画像データの代表画像とそれ以外の画像データの代表画像を異なる大きさで表示するよう前記表示制御手段を制御するシステム制御手段とを備える再生装置。
【請求項２】
前記システム制御手段は、前記画像データを記録した記録装置を示す識別情報に基づいて前記記録手段により記録された画像データとそれ以外の画像データとを識別することを特徴とする請求項１記載の再生装置。
【請求項３】
前記記録手段は前記画像データと共に前記識別情報を前記記録媒体に記録し、前記制御手段は前記再生手段により前記記録媒体から再生された前記識別情報に基づいて前記記録手段により記録された画像データとそれ以外の画像データとを識別することを特徴とする請求項２記載の再生装置。
【請求項４】
前記表示制御手段は前記記録手段により記録された画像データの代表画像を前記他の画像データの代表画像よりも大きく表示することを特徴とする請求項１記載の再生装置。
【請求項５】
前記表示制御手段は、前記記録手段により記録された画像データの代表画像の近傍に所定のマークを表示することを特徴とする請求項１記載の再生装置。
【請求項６】
前記システム制御手段は、前記記録媒体からの前記他の画像データの消去を禁止することを特徴とする請求項１記載の再生装置。
【請求項７】
互いに異なる複数の入力源から得られた画像データが記録された記録媒体から前記画像データを再生する再生手段と、
前記複数の画像データの代表画像を表示装置の同一画面上に表示する表示制御手段と、
前記複数の画像データのうち、所定の入力源により得られた画像データの代表画像とそれ以外の画像データの代表画像を異なる大きさで表示するよう前記表示制御手段を制御する制御手段とを備える再生装置。
【請求項８】
前記制御手段は、前記画像データの入力源を示す識別情報に基づいて前記所定の入力源により得られた画像データと他の画像データとを識別することを特徴とする請求項７記載の再生装置。
【請求項９】
前記制御手段は前記再生手段により前記記録媒体から再生された前記識別情報に基づいて前記所定の入力源より得られた画像データとそれ以外の画像データとを識別することを特徴とする請求項８記載の再生装置。
【請求項１０】
前記制御手段は前記複数の入力源のうち任意に選択された入力源より得られた画像データの代表画像とそれ以外の画像データの代表画像を異なる大きさで表示するよう前記表示制御手段を制御することを特徴とする請求項７記載の再生装置。
【請求項１１】
記録媒体に対して画像データを記録する記録手段と、
前記記録媒体に記録されている複数の画像データのうち、前記記録手段により記録された画像データのみを再生するための再生手順を示すプレイリストデータを生成し、前記画像データと共に前記記録媒体に記録するよう前記記録手段を制御する制御手段とを備える記録装置。
【請求項１２】
前記記録媒体から前記画像データを再生する再生手段を備え、前記制御手段は前記プレイリストデータに基づいて、前記記録媒体に記録されている複数の画像データのうち前記記録手段により記録された画像データのみを再生するよう前記再生手段を制御することを特徴とする請求項１１記載の記録装置。
【請求項１３】
前記制御手段は、前記記録媒体上に前記プレイリストデータが既に記録されていた場合、前記記録手段が新たに前記画像データを記録したことに応じて前記プレイリストデータの内容を変更することを特徴とする請求項１１記載の記録装置。
【請求項１４】
前記制御手段は更に、前記画像データを記録した記録装置を示す識別情報を前記プレイリストデータに付加して記録するよう前記記録手段を制御することを特徴とする請求項１記載の再生装置。
【請求項１５】
所定の入力源から得られた画像データを記録媒体に記録する記録手段と、
前記記録媒体に記録されている複数の画像データのうち、前記所定の入力源より得られた画像データのみを再生するための再生手順を示すプレイリストデータを生成し、前記画像データと共に前記記録媒体に記録するよう前記記録手段を制御する制御手段とを備える記録装置。
【請求項１６】
複数の入力源のうちの一つを選択する選択手段と、
前記選択手段により選択された入力源から得られた画像データを記録媒体に記録する記録手段と、
前記記録媒体に記録されている複数の画像データのうち、前記選択された入力源より得られた画像データのみを再生するための再生手順を示すプレイリストデータを生成し、前記画像データと共に前記記録媒体に記録するよう前記記録手段を制御する制御手段とを備える記録装置。
【請求項１７】
前記制御手段は更に、前記選択された入力源を示す識別情報を前記プレイリストデータに付加して記録するよう前記記録手段を制御することを特徴とする請求項１６記載の再生装置。
【請求項１８】
記録媒体に対して画像データを記録する記録手段と、
前記記録媒体から画像データを再生する再生手段と、
前記記録媒体に記録されている複数の画像データの代表画像を表示装置の同一画面上に表示する表示制御手段と、
前記複数の画像データのうち、前記記録手段により記録された画像データの代表画像とそれ以外の画像データの代表画像を異なる大きさで表示するよう前記表示制御手段を制御するシステム制御手段とを有する再生システム。
【請求項１９】
互いに異なる複数の入力源から得られた画像データが記録された記録媒体から前記画像データを再生する再生手段と、
前記複数の画像データの代表画像を表示装置の同一画面上に表示する表示制御手段と、
前記複数の画像データのうち、所定の入力源により得られた画像データの代表画像とそれ以外の画像データの代表画像を異なる大きさで表示するよう前記表示制御手段を制御する制御手段とを有する再生システム。
【発明の詳細な説明】
【技術分野】
【０００１】
本発明は再生装置に関し、特に、異なる装置で記録された複数の画像情報の再生時の処理に関する。
【背景技術】
【０００２】
従来、ビデオカメラではＤＶテープ、据え置きのＴＶチューナ内蔵ビデオデッキではＶＨＳテープと、それぞれ別のフォーマットによる媒体を使用していたため、お互いの媒体間での互換がなく、それぞれの媒体に記録されたコンテンツは記録した機器でのみ再生可能であった。
【０００３】
しかし近年、特許文献１や、特許文献２に記載の様に、ＤＶＤ−ＲＡＭを記録媒体に用いる機器が出現してきた。これらの機器間では、８ｃｍＤＶＤ−ＲＡＭを共通に記録媒体として用い、更に、相互に記録したコンテンツを再生することが出来る。
【特許文献１】特開２００１−１１１８７７号
【特許文献２】特開２０００−１５５９９８号
【発明の開示】
【発明が解決しようとする課題】
【０００４】
しかしながら、前記のＤＶＤ−ＲＡＭを用いるビデオカメラやビデオデッキでは、メディアを共用した場合、カメラ撮影したコンテンツと放送番組を録画したコンテンツが混在することとなり、再生時に任意のコンテンツを選ぶ場合に混乱を来すことがあった。また、前記ビデオデッキでは内蔵ＴＶチューナからのコンテンツだけでなく外部入力からのコンテンツが記録できるため、これらのコンテンツがさらに加わる事で混乱が起きることがあった。
【０００５】
本発明は以上の点に鑑みてなされたものであり、多様な映像機器の間でメディアを共有できる環境で、効率的にコンテンツ管理を行うことを第１の目的とする。
【０００６】
さらに、この様な環境にて、機器ごとのコンテンツ管理を容易に行うことを第２の目的とする。
【課題を解決するための手段】
【０００７】
本発明は、記録媒体に対して画像データを記録する記録手段と、前記記録媒体から画像データを再生する再生手段と、前記記録媒体に記録されている複数の画像データの代表画像を表示装置の同一画面上に表示する表示制御手段と、前記複数の画像データのうち、前記記録手段により記録された画像データの代表画像とそれ以外の画像データの代表画像を異なる大きさで表示するよう前記表示制御手段を制御するシステム制御手段とを備える。
【発明の効果】
【０００８】
記録媒体に記録されたコンテンツを効率的に管理できる。
【発明を実施するための最良の形態】
【０００９】
≪第１の実施形態≫
次に、本発明をディスクビデオカメラおよびディスクレコーダデッキで応用した第１の実施例について図面を用いて説明する。
【００１０】
図１は本発明を適用したビデオカメラの構成を示すブロック図である。
【００１１】
図１において、１０１は被写体を取り込む撮影レンズ、撮像素子への光量を制御する絞り、取り込んだ被写体を画像信号に変換する撮像素子、画像信号をサンプルホールドし、適正な信号レベルにするＣＤＳ／ＡＧＣ、ＣＤＳ／ＡＧＣからの画像信号をＡ／Ｄ変換し、デジタル信号処理を行うデジタル信号処理回路などを含む撮像部、１０２はマイクロフォン、１０３は撮像部１０１により得られた画像信号をＭＰＥＧ方式で符号化し、また、再生された画像信号を復号するＭＰＥＧコーデック、１０４はディスクＤに対して符号化された画像データを含む各種のデータを記録再生するディスクＩ／Ｆ、１０５は撮像部１０１２より得られた画像信号や、再生された画像信号を外部に出力する画像出力部、１０６は再生された音声信号を外部に出力する音声出力部、１０７は撮影された画像や再生された画像などの各種の情報を表示するディスプレイ、１０８はメインマイコン１１１の指示に従ってディスプレイ１０７に対して各種の情報を表示するディスプレイドライバ、１０９は画像信号を記憶するメモリ、１１０は記録トリガスイッチや再生スイッチなど、各種のスイッチを備える操作キー、１１１は装置各部を制御するメインマイコン、１１２はメインマイコン１２２で収集された各種データを保存する、不揮発性メモリであるＥＥＰＲＯＭ、１１３は各回路の間で画像データや音声データを送受信するためのデータバス、１１４はメインマイコン１１２と各ブロックの間で制御データを送受信するための制御バスである。
【００１２】
図２は本発明を適用したビデオレコーダデッキ２００のブロック図である。
【００１３】
図２において、２０１はアンテナから入力されたＢＳ、地上波、ＣＡＴＶ等のＲＦ入力を選局・検波して映像信号および音声信号を取り出し、デジタル化して後述の画像／音声データバスに画像データおよび音声データを出力するチューナ、２０２は外部機器から入力したアナログ画像信号をデジタル化してデータバス２１２に出力すると共に、データバス２１２を介して入力した画像データをアナログ信号に変換して外部機器に出力する画像入出力部、２０３は外部機器から入力したアナログ音声信号をデジタル化してデータバス２１２に出力すると共に、データバス２１２を介して入力した音声データをアナログ信号に変換して外部機器に出力する音声入出力部、２０４は外部機器との間でデジタル画像、音声データを送受信するためのデジタルＩ／Ｆ、２０５はチューナ２０１により受信されたデジタル画像信号およびデジタル音声信号をＭＰＥＧ圧縮すると共に、ディスクＤから再生されたＭＰＥＧ圧縮データを伸長するＭＰＥＧコーデック、２０６はディスクＤに対して符号化された画像、音声データのほか、各種のデータを記録再生するディスクＩ／Ｆ、２０７はメモリ、２０８は各種のスイッチを含む操作キー、２０９は不図示のリモコンからの制御信号を受信するリモコンセンサ、２１０は装置各部を制御するメインマイコン、２１１はメインマイコン２１０の設定、またメインマイコン２１０で収集された各種データを保存する、不揮発性メモリであるＥＥＰＲＯＭ、２１２は各回路の間で画像データや音声データを送受信するためのデータバス、２１３はメインマイコン２１０と各部の間で制御データを送受信するためのデータバス、２１４は画像入出力部２０２、音声入出力部２０３に接続されたＴＶモニタに対して出力するためのインデックス画面などを生成する表示制御部である。
【００１４】
図１、図２において、ディスクＤとしては前述のＤＶＤを用いるが、他の種類のディスク媒体を用いることももちろん可能である。
【００１５】
図３は、本発明を適用した記録再生システムの一例を示す図である。
【００１６】
３０１は図１のビデオカメラ１００の構成を持つＡカメラ、３０２は図１のビデオカメラ１００の構成を持つＢカメラ、３０３は図２のビデオレコーダデッキ２００の構成を持つＡデッキ、３０４はＡカメラ３０１、Ｂカメラ３０２、Ａデッキ３０３の間で共通に使用が可能な記録媒体であるリムーバブルディスク、３０５はリムーバブルディスク３０５に記録された内容を示す図である。
【００１７】
図３の構成において、Ａカメラ３０１、Ｂカメラ３０２による記録モード時のメインマイコン１１１による制御動作を図４に示すフローチャートで説明する。
【００１８】
なお、前記の記録機器は、それぞれ”ＣＡ０００００００１”、”ＣＡ０００００００２”、”ＤＫ０００００００１”という機器の個体を示す機器ＩＤを持っている。
【００１９】
電源が入った後、ユーザによってディスク３０４が本体に挿入されると、ディスクＩ／Ｆ１０４によりディスクの認識を行い、ディスクに記録されているデータの内容を解析する（Ｓ４０２）。この処理は、ディスクに既に記録されているファイルの内容、ファイル名を確認し、次に記録を行う場合に作成するファイルのファイル名を決定するために行われる。
【００２０】
次に、操作キー１１０により記録開始の指示があると（Ｓ４０２）、撮像部１０１２より得られた画像信号とマイク１０２により得られた音声信号をＭＰＥＧコーデック１０３により符号化し、ディスクＩ／Ｆ１０４によりディスクＤ上に記録を開始する（Ｓ４０３）。そして、記録停止の指示があると、ディスクに対するＭＰＥＧデータの記録を停止する（Ｓ４０４）。そして、ディスクＤのファイル管理領域に、今記録したＭＰＥＧデータのファイル情報と共に機器ＩＤを記録する。本形態では、記録開始の指示から記録停止の指示までの間に記録したＭＰＥＧデータを一つのファイルとして記録しており、また、メインマイコン１１１はディスクＤ上に記録される各ファイルの記録位置やファイル名、各ファイルのサムネイル画像データや記録した機器ＩＤなどを含む管理情報を生成し、ディスクＩ／Ｆ１０４によりディスクＤ上の管理情報エリアに記録する。
【００２１】
なお、Ａデッキ３０３における記録時の処理は図４のフローに従うビデオカメラ１００の処理とほぼ同様の処理となるが、メインマイコン２１０は、操作キー２０８或はリモコンセンサ２０９により記録開始の指示を受けると、チューナ２０１又は画像入出力部２０２、音声入出力部２０３からの画像、音声信号をＭＰＥＧコーデック２０５により符号化してディスクに記録する構成が異なる。また、ユーザは、チューナ２０２からの画像、音声と、画像入出力部２０２、音声入出力部２０３２接続された外部機器（例えば、従来のアナログＶＴＲなど）からの画像、音声信号のいずれを記録するのかということを任意に選択することができる。また、メインマイコン２１０は、Ａデッキ３０３のＩＤ情報を管理情報に付加して記録する。
【００２２】
次に、この様に、Ａカメラ３０１、Ｂカメラ３０２、Ａデッキ３０３で共通に用いられ、ＭＰＥＧデータが記録されたディスク３０４をＡカメラ３０１或はＢカメラ３０２にて再生する際の処理について図５に示すフローチャートを用いて説明する。
【００２３】
図５は、Ａカメラ３０１、Ｂカメラ３０２としての図１のビデオカメラ１００におけるメインマイコン１１１による再生時の処理を示すフローチャートである。
【００２４】
電源が入った後、ユーザによってリムーバブルディスク３０４が本体に挿入されると、ディスクＩ／Ｆ１０４によりディスクの認識を行い、ディスクに記録されている管理情報を読み出してＥＥＰＲＯＭ１１２に書き込む（Ｓ５０１）。そして、この管理情報に基づいてデータ内容を確認する。また、管理情報に含まれるサムネイル画像データはメモリ１０９に書き込む。
【００２５】
次に、インデックス表示キーが押されたことを検出すると（Ｓ５０２）、管理情報に基づいてファイル順をソートする（Ｓ５０３）。次にソート順に管理情報の内容を確認し（Ｓ５０４）、管理情報から各ファイルを記録した機器を示す機器ＩＤを抽出する（Ｓ５０５）。
【００２６】
次に、メモリ１０９に記憶されている、指定されたファイルのサムネイル画像データを読み出してディスプレイドライバ１０８に送る（Ｓ５０６）。そして、Ｓ５０５にて検出した機器ＩＤが、この動作を行っている機器の本体が持つ機器ＩＤと一致しているか否かを検出し（Ｓ５０７）、一致していた場合、サムネイル画像をインデックス画面内で所定のサイズに拡大するようディスプレイドライバ１０８を制御する（Ｓ５０８）。なお、ディスプレイドライバ１０８は内部に表示画面生成用のＲＡＭを有しており、このインデックス画面上の表示位置に応じたＲＡＭ上のアドレスにサムネイル画像を拡大処理して書き込む。また、一致していない場合は、サムネイル画像を拡大せず、通常のサイズのままＲＡＭ上に配置する（Ｓ５０９）。
【００２７】
次に、一画面上に表示すべき所定画面数のサムネイル画像をＲＡＭ上に書き込んだか、又は読み込むべきファイルがなくなったかを検出し（Ｓ５１０）、まだインデックス表示すべきファイルがある場合には、次のファイルのサムネイル画像について同様の処理を繰り返す（Ｓ５１５）。
【００２８】
次に、一画面上に表示すべきサムネイル画像の処理が終了すると、ディスプレイドライバ１０８によりディスプレイ１０７上にインデックス画面を表示する。
【００２９】
この状態でユーザによりインデックス画面上のサムネイル画像のうちの一つが選択され、再生開始の指示があると（Ｓ５１２）、ディスクＩ／Ｆ１０４により選択されたファイルのデータの再生を開始し、ＭＰＥＧコーデック１０３によりデコードしてディスプレイドライバ１０８に送る。ディスプレイドライバ１０８は再生開始の指示に応じて、インデックス画面に代わって再生された画像データをディスプレイ１０７に表示する。そして、再生停止の指示があると、ディスクＩ／Ｆ１０４を制御してファイルの再生を停止する。
【００３０】
なお、Ａデッキ３０３における再生モード時の処理は、図５のフローに従うビデオカメラ２００の処理とほぼ同様の処理となるが、図２のデッキ２００では、インデックス表示の指示があると、表示制御部２１４によりインデックス画面を生成する。そして、このインデックス画面を画像入出力部２０２によりＴＶモニタに出力する。また、再生開始の指示があると、画像入出力部２０２によりＴＶモニタに対して再生画像を出力すると共に、音声入出力部２０３により再生音声を出力する。
【００３１】
図６は、図４、図５の一連の処理により、図３に示すコンテンツ３０５を記録したディスク３０４のインデックス画面の様子を示した図である。
【００３２】
６０１はＡカメラ３０１でディスク３０４を再生した場合のインデックス画面で、ディスク３０４に記録されているコンテンツの内、Ａカメラ３０１自身で記録したコンテンツである“Ｃ”と“Ｅ”を示すサムネイル画像を他のサムネイル画像に比べて大きいサイズで表示している。また、６０２はＢカメラ３０２でディスク３０４を再生した場合のインデックス画面であり、ディスク３０４に記録されているコンテンツの内、Ｂカメラ３０２自身で記録したコンテンツである“Ａ”と“Ｆ”を示すサムネイル画像を他のサムネイル画像に比べて大きいサイズで表示している。更に、６０３はＡデッキ３０３でディスク３０４を再生した場合のインデックス画面であり、ディスク３０４に記録されているコンテンツの内、Ａデッキ３０３自身で記録したコンテンツである“Ｂ”と“Ｄ”を示すサムネイル画像を他のサムネイル画像に比べて大きく表示している。
【００３３】
この様に、本形態では、複数の機器間で共通に用いるディスクのインデックス画面を表示する際、現在再生している機器で記録したコンテンツのサムネイル画像のサイズを他のコンテンツのサムネイル画像に比べて大きく表示することで、ユーザは、現在再生している機器で記録したコンテンツを容易に認識することが可能となる。
【００３４】
なお、本形態において、管理情報から検出した機器ＩＤと本体のＩＤが一致した場合のみ、そのファイルの編集または削除を許可するという構成にすることも可能である。この場合、図７に示すように、拡大表示しているサムネイル画像以外のサムネイル画像の近傍にその旨を示すマーク、例えば鍵マークなどを表示し、編集または削除が行えない旨を明示する構成としてもよい。
【００３５】
また、本形態では、ディスクの管理情報として記録した機器のＩＤを記録しているが、ディスクのＩＤとファイル名の情報を記録機器側に記録し、再生時にディスクから検出したＩＤと機器に記憶したディスクＩＤを照合して前述の様にインデックス画面を表示する構成としても良い。
【００３６】
≪第２の実施形態≫
第２の実施形態について図面を用いて説明する。
【００３７】
本実施例のディスクビデオカメラ側のブロック図および本実施例のディスクビデオレコーダデッキ側のブロック図は、前記実施例１の図１および図２に示すブロック図と同様である。
【００３８】
図８は、本発明の記録再生システムの一例を示す図である。８０１は図１のビデオカメラ１００の構成を持つＣカメラ、８０２は図２のビデオレコーダデッキ２００の構成を持つＢデッキ、８０３はＣカメラ８０１、Ｂデッキ８０２間で共通に使用が可能な記録媒体であるリムーバブルディスク、８０４はリムーバブルディスク８０３に記録された内容を示す図である。
【００３９】
図８の構成にて、Ｃカメラ８０１、Ｂデッキ８０２での記録モードの動作を図９に示すフローチャートで説明する。
【００４０】
なお、前記の記録機器は、カメラ入力は”ＣＡＭ００１”、チューナ入力は”ＴＵＮ００１”、アナログ外部入力は”ＡＩＮ００１”、デジタル外部入力は”ＤＩＮ００１”という動画の入力源を示すソースＩＤを持っている。
【００４１】
電源が入った後、ユーザによってディスク８０３が本体に挿入されると、ディスク内容を確認する（Ｓ９０１）。次に、記録開始の指示があると、ファイル名を決定して記録を開始する（Ｓ９０３）。そして、記録停止の指示があると（Ｓ９０４）、ＭＰＥＧデータの記録を停止し、ディスクのファイル管理領域に、ソースＩＤを含む管理情報を記録する（Ｓ９０５）。本形態では、図１のビデオカメラ１００においては画像データのソースとして撮像部１０１のみを持つため、ソースＩＤとして、カメラ入力のＩＤを付加する。また、図２のデッキ２００においては、画像データのソースとしてチューナ２０１、画像入出力部２０２からのアナログ入力、デジタルＩ／Ｆ２０４からのデジタル入力の三つがあり、ユーザはこれら三つの画像ソースのうちの任意のソースを選択することができる。メインマイコン２１０はこれらのうち、選択された画像ソースに応じたＩＤを管理情報に付加して記録する。
【００４２】
次に、Ｃカメラ８０１、Ｂデッキ８０２での再生モードの動作を図１０に示すフローチャートで説明する。
【００４３】
電源が入った後、ユーザによってディスク８０３が本体に挿入されるとディスク内容を確認する（Ｓ１００１）。次に、インデックス表示キーが押されると（Ｓ１００２）、管理情報に基づいてファイル順をソートし（Ｓ１００３）、ソート順に指定したファイルの管理情報を確認し（Ｓ１００４）、管理情報内のソースＩＤを検出する（Ｓ１００５）。
【００４４】
次に、指定されたファイルのサムネイル画像データを再生し（Ｓ１００６）、検出したソースＩＤが、現在の優先再生モードのソースＩＤと一致しているか否かを検出する（Ｓ１００７）。ここで、優先再生モードとは、ユーザが前述の複数のソースのうち、ユーザがいずれのソースから記録した画像データを優先して再生するのかということを設定できるモードである。
【００４５】
Ｓ１００７で、ソースＩＤが優先再生モードのＩＤと一致していた場合、このファイルのサムネイル画像のサイズを所定サイズに拡大し、ディスプレイドライバ１０８内のＲＡＭ上に配置する。また、一致していない場合、サムネイル画像を拡大せずにそのままＲＡＭ上に配置する。次に、ＲＡＭ上に配置されたサムネイル画が一面の所定枚数に達したか、或は読み込むべきファイルがなくなったことを検出し、表示すべきサムネイル画像が残っている場合は次のファイルを指定して、同様の処理を繰り返す。また、表示すべきサムネイル画像が無い場合、生成したインデックス画面を表示する（Ｓ１０１１）。
【００４６】
この状態でインデックス画面上に表示されているサムネイルの内の一つが選択され、再生開始の指示があると（Ｓ１０１２）、選択されたファイルの再生を開始し（Ｓ１０１３）、再生停止の指示があると再生を停止して終了する（Ｓ１０１４）。
【００４７】
図１１は図９、図１０の処理により表示される、図８に示すコンテンツ８０４が記録されたディスク８０３のインデックス画面の例である。
【００４８】
１１０１はディスク８０３をＣカメラ８０１で再生した場合のインデックス画面である。Ｃカメラ８０１は画像入力源としてカメラのみを持つため、再生モード時はカメラ画を記録したファイルを優先的に再生するモードとなる。この時、ディスク８０３に記録されているコンテンツの内、入力源がカメラである“ｃ”と“ｅ”を示すサムネイル画が拡大表示される。
【００４９】
また、１１０２ないし１１０４はディスク８０３をＢデッキ８０２で再生した場合のインデックス画面である。Ｂデッキ８０２は画像の入力源としてＴＶチューナ、アナログ外部入力、デジタル外部入力を持っており、それぞれＴＶ録再モード、アナログ入力録再モード、デジタル入力録再モードがある。
【００５０】
１１０２は前記ＴＶ録再モードにおけるインデックス画面の例で、ディスク８０３に記録されているコンテンツの内、入力源がＴＶチューナである“ａ”と“ｆ”を示すサムネイル画が拡大表示される。また、１１０３はアナログ入力録再モードにおけるインデックス画面の例で、ディスク８０３に記録されているコンテンツの内、入力源がアナログ入力（ライン入力）である“ｄ”を示すサムネイル画が拡大表示される。更に、１１０４はデジタル入力録再モードにおけるインデックス画面の例で、ディスク８０３に記録されているコンテンツの内、入力源がデジタル入力である“ｂ”を示すサムネイル画が拡大表示される。
【００５１】
この様に、本形態では、複数の機器間で共通に用いるディスクのインデックス画面を表示する際、各ファイルの画像ソースのうち、指定されたソースのからのコンテンツのサムネイル画像のサイズを他のコンテンツのサムネイル画像に比べて大きく表示することで、ユーザは、指定されたソースから記録したコンテンツを容易に認識することが可能となる。
【００５２】
なお、本形態において、管理情報から検出したソースＩＤと本体のＩＤが一致した場合のみ、そのファイルの編集または削除を許可するという構成にすることも可能である。この場合、図１２に示すように、拡大表示しているサムネイル画像以外のサムネイル画像の近傍にその旨を示すマーク、例えば鍵マークなどを表示し、編集または削除が行えない旨を明示する構成としてもよい。
【００５３】
≪第３の実施形態≫
次に、第３の実施形態について図面を用いて説明する。
【００５４】
本実施形態のビデオカメラ側のブロック図およびレコーダデッキ側のブロック図は、図１および図２に示すブロック図と同様である。
【００５５】
図１３は、本発明の記録再生システムの一例を示す図である。１３０１は図１のビデオカメラの構成を持つＤカメラ、１３０２は図１のビデオカメラの構成を持つＥカメラ、１３０３は図２のレコーダデッキの構成を持つＣデッキ、１３０４はＤカメラ１３０１、Ｅカメラ１３０２、Ｃデッキ１３０３の間で共通に使用が可能な記録媒体であるリムーバブルディスク、１３０５はリムーバブルディスク１３０３に記録された内容を示す図である。
【００５６】
図１３の構成にて、Ｄカメラ１３０１、Ｅカメラ１３０２、Ｃデッキ１３０３での記録モードの動作を図１５に示すフローチャートで説明する。
【００５７】
なお、図１３の各機器は、それぞれ“ＣＡ０００００００３”、“ＣＡ０００００００４”、“ＤＫ０００００００２”という機器の個体を示す機器ＩＤを持っている。
【００５８】
電源が入った後、ユーザによってディスク１３０４が本体に挿入されると、ディスクに記録されている管理情報を読み出してデータの内容を確認する（Ｓ１５０１）。次に、記録開始の指示があると（Ｓ１５０２）、ファイル名を決定してＭＰＥＧデータの記録を開始する（Ｓ１５０３）。この時、記録を開始したディスク上のアドレスを検出し、ＥＥＰＲＯＭ１１２に格納する（Ｓ１５０４）。
【００５９】
そして、記録停止の指示があると（Ｓ１５０５）、ＭＰＥＧデータの記録を停止し、記録を停止した時点での最後のデータを記録したアドレスを検出し、ＥＥＰＲＯＭ１１２に格納する（Ｓ１５０８）。
【００６０】
次に、管理情報に基づいて、現在再生している機器ＩＤと同じ機器ＩＤが付加されたプレイリストファイルがこのディスクに記録されているか否かを判別し（Ｓ１５０７）、記録されていなかった場合には、この機器ＩＤと、ＥＥＰＲＯＭ１１２に記憶していた記録開始、停止アドレスに基づいて、この機器ＩＤを持つ機器にて記録されたファイルのみを再生するためのプレイリストデータを生成し（Ｓ１５０８）、このプレイリストデータを含むプレイリストファイルと管理情報とをディスクに記録する（Ｓ１５０９）。また、同じ機器ＩＤを持つプレイリストファイルが既にディスクに記録されていた場合、そのプレイリストファイルを再生し、今記録した画像ファイルを追加して再生するよう、その内容を変更し（Ｓ１５１０）、ディスクに記録する。
【００６１】
ここで、プレイリストデータとは、ディスクに記録されているデータの再生手順を示すデータであり、本形態では、ＭＰＥＧデータを記録した機器ごとに、その機器にて記録した画像ファイルのみを再生するようその再生手順を制御するためのプレイリストデータを生成する。
【００６２】
なお、デッキ１３０３においても、図１５のフローに従い、同様の処理にてプレイリストファイルを作成、記録する。
【００６３】
図１４は、図１５の一連の動作によって作成されるプレイリストファイルの一例である。
【００６４】
なお、ディスクに記録されている内容は図１３の１３０５に示す内容である。１４０１はＤカメラ１３０１によって作成されたプレイリストファイルで、記録開始アドレスを示すマーカＣ〜記録停止アドレスを示すマーカＤ及び、記録開始アドレスを示すマーカＥ〜記録停止アドレスを示すマーカＦの間に記録されたファイルがＤカメラ１３０１によって記録されたデータである事を示している。
【００６５】
また、１４０２はＥカメラ１３０２によって作成されたプレイリストファイルで、マーカＡ〜マーカＢ及び、マーカＦ〜マーカＧの間に記録されているファイルがＥカメラ１３０２によって記録されたデータであることを示している。
【００６６】
更に１４０３はＣデッキ１３０３によって作成されたプレイリストファイルで、マーカＢ〜マーカＣ及びマーカＤ〜マーカＥの間に記録されているファイルがＣデッキ１３０３によって記録されたデータであることを示している。
【００６７】
次に、図１６のフローを用いてこの様なプレイリストファイルが記録されたディスクの再生時の処理について説明する。
【００６８】
ユーザによりディスクが、挿入され、認識を行うと（Ｓ１６０１）、管理情報とプレイリストファイルを再生し（Ｓ１６０２）、自身の機器ＩＤと各プレイリストファイルに付加されている機器ＩＤとを比較する（Ｓ１６０３）。そして、再生開始の指示を待ち（Ｓ１６０４）、再生開始の指示があると、機器ＩＤが一致したプレイリストファイルがあるか否かを判別する（Ｓ１６０５）。
【００６９】
一致するＩＤを持つプレイリストファイルが記録されていた場合、その一致する機器ＩＤが付加されたプレイリストファイルをディスクから再生して、そのプレイリストに従ってディスクＩ／Ｆ１０４を制御し、指定されたファイルをディスクから再生する（Ｓ１６０６）。一方、機器ＩＤが一致するプレイリストが記録されていなかった場合、所定の順序でファイルを再生する（Ｓ１６０７）。そして、再生停止の指示があると、再生を停止する（Ｓ１６０８）。
【００７０】
この様に、本形態においては、画像ファイルを記録する際に、記録した機器のＩＤを付加したプレイリストを生成し、再生時には自身の機器ＩＤが付加されたプレイリストに基づいて自動的に画像ファイルを再生するので、複数の機器間で共通に用いられるディスクを再生する場合に、現在再生を行っている機器で記録された画像ファイルを自動的に再生することができ、使い勝手がよい。
【００７１】
≪第４の実施形態≫
次に、本発明の第４の実施形態について図面を用いて説明する。
【００７２】
本実施形態のビデオカメラのブロック及びビデオレコーダデッキのブロック図は、図１及び図２に示すブロック図と同様である。
【００７３】
図１７は本実施形態の記録再生システムの一例を示す図である。
【００７４】
１７０１は図１のビデオカメラ１００の構成を持つＦカメラ、１６０２は図２のレコーダデッキの構成を持つＤデッキ、１６０３はＦカメラ１７０１、Ｄデッキ１７０２間で共通に使用が可能な記録媒体であるリムーバブルディスク、１６０４はディスク１７０３に記録された内容を示す図である。
【００７５】
図１７の構成において、Ｆカメラ１７０１、Ｄデッキ１７０２での記録モードの動作を図１９に示すフローチャートで説明する。
【００７６】
なお、前記の記録機器は、カメラ入力は”ＣＡＭ００１”、チューナ入力は”ＴＵＮ００１”、アナログ外部入力は”ＡＩＮ００１”、デジタル外部入力は”ＤＩＮ００１”という動画の入力源を示すソースＩＤを持っている。
【００７７】
電源が入った後、ユーザによってディスク１７０３が本体に挿入されると、ディスクに記録されている管理情報を読み出してデータの内容を確認する（Ｓ１９０１）。次に、記録開始の指示があると（Ｓ１９０２）、ファイル名を決定してＭＰＥＧデータの記録を開始する（Ｓ１９０３）。この時、記録を開始したディスク上のアドレスを検出し、ＥＥＰＲＯＭ１１２に格納する（Ｓ１９０４）。
【００７８】
そして、記録停止の指示があると（Ｓ１９０５）、ＭＰＥＧデータの記録を停止し、記録を停止した時点での最後のデータを記録したアドレスを検出し、ＥＥＰＲＯＭ１１２に格納する（Ｓ１９０８）。
【００７９】
次に、管理情報に基づいて、今記録したファイルのソースＩＤと同じソースＩＤが付加されたプレイリストファイルがこのディスクに記録されているか否かを判別し（Ｓ１９０７）、記録されていなかった場合には、このソースＩＤと、ＥＥＰＲＯＭ１１２に記憶していた記録開始、停止アドレスに基づいて、このソースＩＤに対応したソースからの画像データ含むファイルのみを再生するためのプレイリストデータを生成し（Ｓ１９０８）、このプレイリストデータを含むプレイリストファイルと管理情報とをディスクに記録する（Ｓ１９０９）。また、同じソースＩＤを持つプレイリストファイルが既にディスクに記録されていた場合、そのプレイリストファイルを再生し、今記録した画像ファイルを追加して再生するよう、その内容を変更し（Ｓ１９１０）、ディスクに記録する。
【００８０】
図１８は、図１９の一連の動作によって作成されるプレイリストファイルの一例である。なお、ディスクに記録されているデータの内容は図１７に示す通りである。
【００８１】
１８０１は画像記録源としてカメラのみを持つＦカメラ１７０１によって作成されたプレイリストファイルで、マーカＣ〜マーカＤ及びマーカＥ〜マーカＦの間に記録されたファイルがＦカメラ１７０１により記録されたデータであることを示している。
【００８２】
また、１８０２はＤデッキ１７０２をＴＶ録再モードにして記録した場合に作成されたプレイリストファイルで、マーカＡ〜マーカＢ及びマーカＦ〜マーカＧの間に記録されたファイルがＴＶチューナから記録されたデータであることを示している。
【００８３】
更に１８０３はＤデッキ１７０２をアナログ入力録再モードにした場合に作成されたプレイリストファイルで、マーカＤ〜マーカＥの間に記録されたファイルがアナログ入力されたデータであることを示している。
【００８４】
また、１８０４はＤデッキ１７０２をデジタル入力録再モードにした場合に作成されたプレイリストファイルで、マーカＢ〜マーカＣのファイルがデジタルＩ／Ｆからのデータであることを示している。
【００８５】
次に、図２０のフローを用いてこの様なプレイリストファイルが記録されたディスクの再生時の処理について説明する。
【００８６】
ユーザによりディスクが、挿入され、認識を行うと（Ｓ２００１）、管理情報とプレイリストファイルを再生し（Ｓ２００２）、ユーザにより設定された、或は所定のソースＩＤと各プレイリストファイルに付加されているソースＩＤとを比較する（Ｓ２００３）。そして、再生開始の指示を待ち（Ｓ２００４）、再生開始の指示があると、ソースＩＤが一致したプレイリストファイルがあるか否かを判別する（Ｓ２００５）。
【００８７】
一致するＩＤを持つプレイリストファイルが記録されていた場合、その一致するＩＤが付加されたプレイリストファイルをディスクから再生して、そのプレイリストに従ってディスクＩ／Ｆ１０４を制御し、指定されたファイルをディスクから再生する（Ｓ２００６）。一方、ソースＩＤが一致するプレイリストが記録されていなかった場合、所定の順序でファイルを再生する（Ｓ２００７）。そして、再生停止の指示があると、再生を停止する（Ｓ２００８）。
【００８８】
この様に、本形態においては、画像ファイルを記録する際に、記録した画像データのソースに対応したＩＤを付加したプレイリストを生成し、再生時には選択されたソースＩＤが付加されたプレイリストに基づいて自動的に画像ファイルを再生するので、複数の機器間で共通に用いられるディスクを再生する場合に、特定のソースから記録された画像ファイルを自動的に再生することができ、使い勝手がよい。
【図面の簡単な説明】
【００８９】
【図１】本発明を適用したビデオカメラのブロック図である。
【図２】本発明を適用したビデオレコーダデッキのブロック図である。
【図３】第１の実施形態のシステムの概要を示す図である。
【図４】第１の実施形態の記録動作を示すフローチャートである。
【図５】第１の実施形態の再生動作を示すフローチャートである。
【図６】第１の実施形態の再生モードのインデックス画面の例を示す図である。
【図７】第１の実施形態の再生モードのインデックス画面の例を示す図である。
【図８】第２の実施形態のシステムの概要を示す図である。
【図９】第２の実施形態の記録動作を示すフローチャートである。
【図１０】第２の実施形態の再生動作を示すフローチャートである。
【図１１】第２の実施形態の再生モードのインデックス画面の例を示す図である。
【図１２】第２の実施形態の再生モードのインデックス画面の例を示す図である。
【図１３】第３の実施形態のシステムの概要を示す図である。
【図１４】第３の実施形態で作成されるプレイリストファイルの内容を示す図である。
【図１５】第３の実施形態の記録動作を示すフローチャートである。
【図１６】第３の実施形態の再生動作を示すフローチャートである。
【図１７】第４の実施形態のシステムの概要を示す図である。
【図１８】第４の実施形態で作成されるプレイリストファイルの内容を示す図である。
【図１９】第４の実施形態の記録動作を示すフローチャートである。
【図２０】第４の実施形態の再生動作を示すフローチャートである。
【図１】
2005158172.tif 000003
【図２】
2005158172.tif 000004
【図３】
2005158172.tif 000005
【図４】
2005158172.tif 000006
【図５】
2005158172.tif 000007
【図６】
2005158172.tif 000008
【図７】
2005158172.tif 000009
【図８】
2005158172.tif 000010
【図９】
2005158172.tif 000011
【図１０】
2005158172.tif 000012
【図１１】
2005158172.tif 000013
【図１２】
2005158172.tif 000014
【図１３】
2005158172.tif 000015
【図１４】
2005158172.tif 000016
【図１５】
2005158172.tif 000017
【図１６】
2005158172.tif 000018
【図１７】
2005158172.tif 000019
【図１８】
2005158172.tif 000020
【図１９】
2005158172.tif 000021
【図２０】
2005158172.tif 000022